(57)【要約】【課題】上ケースに透明または半透明なものを用いる場合でも、中ケースを用いることなく、上ケースと下ケースだけを用いてコストが高くなることを極力抑制し、デザイン性の高いリモコン装置を提供することを目的とする。【解決手段】透明または半透明の上ケース１と、不透明の下ケース４と、銘板２を備え、前記銘板２は、前記上ケース１の中央付近に配置され、前記下ケース１は、前記上ケースの前記銘板の配置されていない周囲部分に対応する部分を逆凹状に構成し、前記下ケースの凹状部分の一部を電池収納部とする。【選択図】  図４
2004153762.tif 000002
【特許請求の範囲】
【請求項１】
下ケースと、前記下ケースを覆う透明または半透明の上ケースと、銘板とを備え、前記銘板は前記上ケースに配置され、前記下ケースは前記銘板の配置された部分に対応する少なくとも一部を凹状に形成したことを特徴とするリモコン装置の本体ケース。
【請求項２】
下ケースは、銘板の配置されていない周囲部分に対応する部分を凸状に構成し、前記凸状部を上ケースに近接させる構成とした請求項１に記載のリモコン装置の本体ケース。
【請求項３】
下ケースは、銘板の配置されていない周囲部分に対応する部分に逆凹部を形成し、前記逆凹部に電池を収納する構成とした請求項２に記載のリモコン装置の本体ケース。
【発明の詳細な説明】
【０００１】
【発明の属する技術分野】
本発明は、上ケースを透明または半透明なケースで構成する電化製品のリモコン装置の本体ケース構成に関するものである。
【０００２】
【従来の技術】
従来、この種の電化製品のリモコン装置の本体ケース構成は、図７、図８のようなものがあった。図７は、平面図であり、図８は、図７の点線ａ−ａ’より矢印（↑）の方向を見た断面図である。
【０００３】
図７、図８において、１０１は、半透明な上ケースで、半透明な上ケース１０１の中央付近には、銘板１０２が貼り付けられている。銘板１０２には、３つの操作ボタン１２１〜１２３と３つの表示部１２４〜１２６が設けられている。半透明な上ケース１０１の下には、不透明な中ケース１０３が設けられており、不透明な中ケース１０３の下には、不透明な下ケース１０４が設けられている。１０５はプリント配線板で、プリント配線板１０５は、中ケース１０３に設けられたボス１０６と下ケース１０４に設けられたボス１０７で挟まれ、上ケース１０１に設けられたボス１０８とボス１０７をビス１０９で締め付けることで固定されている。１１０は、プリント配線板１０５に実装されているスイッチであり、操作ボタン１２１が押されることで、中ケース１０３に設けられている可動なボス１１２によりスイッチ１１０が押されることになる。１１１は、プリント配線板１０５に実装されているＬＥＤであり、ＬＥＤ１１１の上方に対応する部分の上ケース１０１と中ケース１０３には貫通穴が設けられており、ＬＥＤ１１１が点灯すると表示部１２４が光って見えることになる。１１３は電池であり、プリント配線板１０５の電源として用いられる。
【０００４】
図８に示すように、従来の半透明な上ケース１０１を用いた電化製品のリモコン装置の本体ケース構成は、上ケース１０１の直ぐ下に、不透明な中ケース１０３を近接して設けることで、半透明な上ケース１０１の表面の中で、銘板１０２により覆われていない周囲部分から、内部のプリント配線板１０５や電池１１３などが透けて見えるのを防止でき、デザイン性の優れたものであった。
【０００５】
【発明が解決しようとする課題】
しかしながら、前記従来の半透明な上ケース１０１を用いた電化製品のリモコン装置の本体ケース構成では、上ケース１０１を半透明にしてデザイン性を高くしているために、本来、構造的には必要でない中ケース１０３を追加して設けなければならなく、上ケースを不透明なもので構成する場合に比べ、リモコン装置を構成する部品が増えて、コストが高くなるという課題を有していた。
【０００６】
本発明は、前記従来の課題を解決するもので、上ケースに透明または半透明なものを用いる場合でも、中ケースを用いることなく、上ケースと下ケースだけを用いてコストが高くなることを極力抑制し、デザイン性の高いリモコン装置を提供することを目的とする。
【０００７】
【課題を解決するための手段】
前記従来の課題を解決するために、本発明のリモコン装置の本体ケース構成は、下ケースと、前記下ケースを覆う透明または半透明の上ケースと、銘板とを備え、前記銘板は前記上ケースに配置され、前記下ケースは前記銘板の配置された部分に対応する少なくとも一部を凹状に形成したものである。
【０００８】
【発明の実施の形態】
請求項１に記載の発明は、下ケースと、前記下ケースを覆う透明または半透明の上ケースと、銘板とを備え、前記銘板は前記上ケースに配置され、前記下ケースは前記銘板の配置された部分に対応する少なくとも一部を凹状に形成したもので、この凹状の部分にリモコン送信を行うための回路を実装したプリント配線板や電源となる電池を収納することで、中ケースを用いることなく内部が透けて見えることを防止できる。
【０００９】
請求項２に記載の発明は、下ケースを、銘板の配置されていない周囲部分に対応する部分を凸状に構成し、前記凸状部を上ケースに近接させる構成としたもので、透明または半透明の上ケースの表面からリモコン装置の内部の構造が透けて見えることをなくすことができ、従来のように、わざわざ中ケースを用いることなく、上ケースと下ケースの２ピース構成で、デザイン性の高いリモコン装置を実現することができる。
【００１０】
請求項３に記載の発明は、下ケースに、銘板の配置されていない周囲部分に対応する部分に逆凹部を形成し、前記逆凹部に電池を収納する構成としたもので、逆凹部の一部を電池収納部にするので、透明または半透明の上ケースの表面からリモコン装置の内部の構造が透けて見えることをなくすことができると共に、下ケースの逆凹状部の一部を電池収納部に利用するので、リモコン装置の外形を大きくすることなく、デザイン性の高いリモコン装置を上ケースと下ケースの２ピース構成で実現することができる。
【００１１】
【実施例】
以下、本発明の実施例について、図面を参照しながら説明する。
【００１２】
（実施例１）
図１は、本発明の第１の実施例におけるリモコン装置の本体ケース構成を示す平面図であり、図２は、図１の平面図中の点線ｂ−ｂ’より矢印（↑）方向を見た断面図である。
【００１３】
図１において、１は、透明な上ケースで、上ケース１の中央付近には、大きめの銘板２が貼り付けられている。銘板２には、３つの操作ボタン２１〜２３と３つの表示部２４〜２６が設けられている。上ケース１の下方には、不透明な下ケース４が設けられており、下ケース４は、上ケース１の銘板２が貼られている部分に対応する部分を凹状に形成されている。５はプリント配線板で、プリント配線板５は、凹状の部分に納められており、上ケース１に設けられたボス８と下ケース４に設けられたボス７で挟まれ、ビス９で締め付けることで固定されている。
【００１４】
１０は、プリント配線板５に実装されているスイッチであり、操作ボタン２１が押されることで、上ケース１に設けられている可動なボス１２により押されることになる。図３は、上ケース１に設けられている可動なボス１２を下ケース４側から見た平面図である。１１は、プリント配線板５に実装されているＬＥＤであり、ＬＥＤ１１の上方に対応する部分の上ケース１には貫通穴が設けられており、ＬＥＤ１１が点灯すると表示部２４が光って見えることになる。１３は電池であり、電池１３は、下ケース４の凹状部分の一部に収納されており、図示していないが、プリント配線板５に直付けされている電池金具によりプリント配線板５と接続され、プリント配線板５の電源として用いられる。
【００１５】
以上のように構成された電化製品のリモコン装置の本体ケース構成について、以下その作用を説明する。
【００１６】
上ケース１は、透明なケースであるが、上ケース１の表面の中央部には、不透明の銘板２が貼り付けられているので、リモコン装置の内部構造は見えない。また、上ケース１の表面の内、銘板２で覆われていない周囲の部分については、不透明な下ケース４が、上ケース１と近接するように凸状の形状になっているので、上ケース１からは、下ケース４の表面だけが透けて見えるだけで、リモコン装置の内部構造が見えることはない。したがって、上ケース１と下ケース４の２ピース構成で、従来と同様のデザイン性を実現することが出来る。
【００１７】
以上のように、本実施例１においては、上ケース１が銘板２で覆われている部分に対応する部分の下ケース４を凹状とし、凹状部の周囲を上ケース１と近接するように形成しているので、透明の上ケース１から透けて見えるのは、下ケース４の表面のみとなり、上ケース１と下ケース４の２ピース構成でコストを高くすることなく、従来と同様のデザイン性を確保することができる。
【００１８】
（実施例２）
図４は、本発明の第２の実施例におけるリモコン装置の本体ケース構成を断面図である。
【００１９】
実施例１と異なる点は、下ケース４を、上ケース１の表面の中で銘板２が配置されていない周囲の部分に対応する部分を、逆凹状に形成している点である。そして、この下ケース４の設けた逆凹状部の一部に電池１３を収納するように構成している。なお、図示していないが、電池１３はプリント配線板５に直付けされている電池金具によりプリント配線板５と接続され、プリント配線板５の電源として用いられる。
【００２０】
以上のように構成された電化製品のリモコン装置の本体ケース構成について、以下その作用を説明する。
【００２１】
上ケース１は、透明なケースであるが、上ケース１の表面の中央部には、不透明のプラスチックシートの銘板２が貼り付けられているので、リモコン装置の内部構造は見えない。また、上ケース１の表面の内、銘板２で覆われていない周囲の部分については、白色の不透明な下ケース４が、上ケース１と近接するように凸状の形状になっているので、透明な上ケース１からは、下ケース４の表面の白色だけが透けて見えるだけで、リモコン装置の内部構造が見えることはない。また、電池１３は、下ケース４の凸状部分の下方のスペースを利用して収納されるので、リモコン装置の外形サイズを大きくする必要はない。したがって、上ケース１と下ケース４の２ピース構成で、リモコン装置の外形サイズを大きくすることなく、リモコン装置の内部構造が見えることを防止でき、デザインをきれいにすることができる。
【００２２】
以上のように、本実施例２においては、上ケース１が銘板２で覆われていない範囲に対応する部分の下ケース４を、上ケース１と近接するように凸形状にし、凸形状の下方を電池収納部に利用しているので、透明の上ケース１から透けて見えるのは、下ケース４の表面のみとなり、上ケース１と下ケース４の２ピース構成で、形状を大きくすることなく、デザインをきれいにすることができる。
【００２３】
なお、下ケースを、図５に示す下ケース１４のように、電池収納部以外の凸形状の部分を空洞にしない構成でも、また、図６に示す下ケース１５のようにした構成でも同様の効果を奏する。また、下ケース１５の電池収納部にカバー１６を設けても良い。
【００２４】
【発明の効果】
以上のように、請求項１〜３に記載の発明によれば、リモコン装置の本体ケースを構成する上ケースと下ケースの構成において、上ケースを透明とする場合でも上ケースと下ケースの２ピース構成で内部構造が透けて見えることを防止できるので、構成が簡素化され、コストを高くすることなく、デザインをきれいにすることができる。
【図面の簡単な説明】
【図１】本発明の実施例１におけるリモコン装置の本体ケース構成を示す平面図
【図２】本発明の実施例１におけるリモコン装置の本体ケース構成を示す構成図
【図３】本発明の実施例１におけるリモコン装置の本体ケース構成の可動なボスの拡大平面図
【図４】本発明の実施例２におけるリモコン装置の本体ケース構成を示す構成図
【図５】本発明の実施例２におけるリモコン装置の本体ケース構成他の実施例を示す構成図
【図６】本発明の実施例２におけるリモコン装置の本体ケース構成他の実施例を示す構成図
【図７】従来のリモコン装置の本体ケース構成を示す平面図
【図８】従来のリモコン装置の本体ケース構成を示す構成図
【符号の説明】
１  上ケース
２  銘板
４、１４、１５  下ケース
【図１】
2004153762.tif 000003
【図２】
2004153762.tif 000004
【図３】
2004153762.tif 000005
【図４】
2004153762.tif 000006
【図５】
2004153762.tif 000007
【図６】
2004153762.tif 000008
【図７】
2004153762.tif 000009
【図８】
2004153762.tif 000010